(57)【要約】【課題】発信機が正しい位置情報を発信することができる技術を提供する。【解決手段】本発明に係る位置情報システムは、発信機を有効化するか否かを認証する認証装置を備え、認証装置があらかじめ保持している発信機の位置情報と、発信機が保持している位置情報とが一致する場合は、発信機を有効化して位置情報を発信させる。【選択図】図２
2014107744.tif 000002
【特許請求の範囲】
【請求項１】
位置情報を発信する発信機と、
前記発信機を有効化するか否かを認証する認証装置と、
を備え、
前記認証装置は、
前記発信機が設置されている場所の位置情報をあらかじめ保持しており、
前記発信機の位置情報と併せて、前記発信機を有効化するよう要求する有効化リクエストを受け取ると、
あらかじめ保持している前記発信機の位置情報と、前記有効化リクエストと併せて受け取った前記発信機の位置情報とが一致するか否かを判定し、一致する場合は前記発信機を有効化する旨の応答を返信し、
前記発信機は、
前記発信機を有効化する旨の前記応答を前記認証装置が返信した場合は前記位置情報を発信し、
前記発信機を有効化しない旨の前記応答を前記認証装置が返信した場合は前記位置情報を発信しない
ことを特徴とする位置情報システム。
【請求項２】
前記位置情報システムは、
前記発信機に位置情報を設定する設定端末を備え、
前記発信機と前記認証装置は、
公開鍵と秘密鍵のペアをあらかじめ共有しており、
前記設定端末は、
前記発信機に設定した前記位置情報を所定関数によってエンコードしたコード化位置情報を、前記有効化リクエストとして前記認証装置に対して送信し、
前記認証装置は、
前記コード化位置情報が記述している前記発信機の位置情報が、あらかじめ保持している前記発信機の位置情報と一致するか否かを判定し、
一致する場合は、前記発信機を有効化する旨の前記応答と併せて、前記コード化位置情報を前記秘密鍵によって暗号化した暗号化位置情報を返信し、
前記設定端末は、
前記認証装置から、前記発信機を有効化する旨の前記応答と併せて前記暗号化位置情報を受け取った場合は、前記暗号化位置情報を前記発信機に対して送信し、
前記発信機は、
前記暗号化位置情報を前記公開鍵によって復号し、
復号の結果得られた位置情報と前記設定端末によって設定された自己の位置情報が一致する場合はその位置情報を発信し、一致しない場合は位置情報を発信しない
ことを特徴とする請求項１記載の位置情報システム。
【請求項３】
前記位置情報システムは、複数の前記発信機を備え、
前記発信機は、各前記発信機を識別するための情報を表示する表示部を備える
ことを特徴とする請求項１または２記載の位置情報システム。
【請求項４】
前記位置情報システムは、前記発信機が初期の設置場所から移動したことを検出するセンサを備え、
前記発信機は、自己の位置が初期の設置場所から移動したことを前記センサが検出した場合は、位置情報の発信を中止する
ことを特徴とする請求項１から３のいずれか１項記載の位置情報システム。
【発明の詳細な説明】
【技術分野】
【０００１】
本発明は、位置情報システムに関する。
【背景技術】
【０００２】
位置を特定する情報として、無線ＬＡＮ（Ｌｏｃａｌ  Ａｒｅａ  Ｎｅｔｗｏｒｋ）のアクセスポイントから送信されるビーコンやＢｌｕｅ  Ｔｏｏｔｈ（登録商標）ビーコンが利用されている。しかし、これらの無線信号に含まれる位置情報は絶対位置情報（緯度・経度）ではなく、相対的に現在位置を特定する技術であるため、機器を設置している場所が移動されると機器から異なる位置情報を発信することになる。
【０００３】
下記特許文献１には、屋内や地下街等の衛星測位信号を受信できないエリア内に、位置を示す情報である位置情報を、ＧＰＳで使用している周波数（例えば、中心周波数１．５７５４２ＧＨｚ）、変調方式（具体的には、ＢＰＳＫ（Ｂｉｎａｒｙ  Ｐｈａｓｅ−Ｓｈｉｆｔ  Ｋｅｙｉｎｇ））、多元接続方式（具体的には、ダイレクト・スペクトラム拡散方式のＣＤＭＡ（Ｃｏｄｅ  Ｄｉｖｉｓｉｏｎ  Ｍｕｌｔｉｐｌｅ  Ａｃｃｅｓｓ））などと互換性のある信号（以下、「位置情報信号」と記載する）によって発信する位置情報発信機を設置しておき、携帯電話などの通信端末が受信した位置情報信号に基づき自身の現在位置を取得する技術が開示されている。
【先行技術文献】
【特許文献】
【０００４】
【特許文献１】特開２００７−２７８７５６号公報
【発明の概要】
【発明が解決しようとする課題】
【０００５】
上記特許文献１などに記載されている従来技術においては、移動体端末の利用者に対して自身の位置情報を提供する方法として、発信機の設置場所を特定する緯度、経度、高度を含む位置データを送信している。この技術においては、発信機に正しい位置情報が設定されていることが必要になる。発信機から誤った位置データが送信されると、利用者は謝った位置データを取得することになり、正当なサービスを受けることができない。
【０００６】
本発明は、上記のような課題に鑑みてなされたものであり、発信機が正しい位置情報を発信することができる技術を提供することを目的とする。
【課題を解決するための手段】
【０００７】
本発明に係る位置情報システムは、発信機を有効化するか否かを認証する認証装置を備え、認証装置があらかじめ保持している発信機の位置情報と、発信機が保持している位置情報とが一致する場合は、発信機を有効化して位置情報を発信させる。
【発明の効果】
【０００８】
本発明に係る位置情報システムによれば、発信機から正確な位置情報を送信することができる。上記した以外の課題、構成、および効果は、以下の実施形態の説明により明らかになるであろう。
【図面の簡単な説明】
【０００９】
【図１】本発明に係る位置情報システム１００の構成図である。
【図２】位置情報システム１００の動作シーケンス図である。
【発明を実施するための形態】
【００１０】
図１は、本発明に係る位置情報システム１００の構成図である。位置情報設定システム１００は、移動体端末１０１、位置情報発信機１０２、設定端末１０３、位置情報認証装置１０４を備える。
【００１１】
移動体端末１０１は、位置情報発信機１０２が発信する位置情報を受信することにより自己の位置を測位する機能を有する端末である。したがって、移動端末１０１による測位結果は、位置情報発信機１０２が発信する位置情報に依存することになる。
【００１２】
位置情報発信機１０２は、後述の図２で説明するシーケンスによって有効化されている場合に限り、自己の位置情報を発信する。位置情報発信機１０２は、ネットワークを介して設定端末１０３に接続されている。位置情報発信機１０２は２つ以上設置することができる。位置情報発信機１０２が複数存在する場合は、各位置情報発信機１０２のシリアル番号などの識別情報を表示する表示部を位置情報発信機１０２の筐体上に設けることが望ましい。位置情報発信機１０２は、天井や壁に固定して設置することができる。
【００１３】
位置情報システム１００は、位置情報発信機１０２を設置位置から移動したことを検出するセンサを任意の箇所（例えば位置情報発信機１０２自身の内部）に有している。位置情報発信機１０２が初期の設定位置から移動したことをセンサが検出すると、位置情報発信機１０２は自身を無効化し、位置情報の発信を中止する。
【００１４】
設定端末１０３は、設定者が入力した位置情報発信機１０２の位置情報を、ネットワークを介して位置情報発信機１０２に送信する。この位置情報は、緯度／経度の座標であってもよいし、位置を識別するＩＤであってもよい。設定端末１０３は、ネットワークを介して位置情報認証装置１０４に接続されている。
【００１５】
さらに、設定端末１０３は、位置情報発信機１０２を有効化にするよう要求する有効化要求を、位置情報認証装置１０４に対して送信する。詳細は後述の図２を用いて改めて説明する。
【００１６】
位置情報認証装置１０４は、位置情報発信機１０２が保持している位置情報が正しいか否かを認証し、正しい場合はその位置情報発信機１０２を有効化すべき旨を回答する装置である。位置情報認証装置１０４は、位置記録管理部１０５、設置場所ＤＢ１０６、発信機ＤＢ１０７を備える。
【００１７】
設置場所ＤＢ１０６は、位置情報発信機１０２の固有ＩＤ（例えばシリアル番号）と設置場所についての情報を格納する。発信機ＤＢ１０７は、位置情報発信機１０２の発信機ＩＤと位置情報発信機１０２の固有ＩＤを紐付けて格納する。すなわち、位置情報発信機１０２の発信機ＩＤが分かれば、発信機ＤＢ１０７に基づきこれに対応する固有ＩＤを特定し、さらに設置場所ＤＢ１０６に基づきその設定場所を特定することができる。これらＤＢが格納する情報は、システム管理者があらかじめ入力しておく。
【００１８】
位置記録管理部１０５は、設定端末１０３から受信した有効化要求に対し、設置場所ＤＢ１０６と発信機ＤＢ１０７が格納している情報を照合することにより、位置情報発信機１０２を有効化するか否かを判定する。
【００１９】
位置情報発信機１０２の発信機ＩＤについて補足する。発信機ＩＤは、位置情報発信機１０２を個別に識別する点においては固有ＩＤと共通であるが、位置情報発信機１０２の設置場所によって変化する点が異なる。例えば、位置情報発信機１０２の設置位置の座標とＰＲＮ番号（衛星番号）などによって発信機ＩＤを表現することができるが、これに限られるものではない。
【００２０】
位置情報発信機１０２と位置情報認証装置１０４は、あらかじめ公開鍵と秘密鍵のペアを共有しておくものとする。公開鍵は位置情報発信機１０２が保持し、秘密鍵は位置情報認証装置１０４が保持する。これら鍵ペアの使用方法については後述の図２を用いて説明する。
【００２１】
図２は、位置情報システム１００の動作シーケンス図である。以下、図２の各ステップについて説明する。
【００２２】
（図２：ステップＳ２００）
位置情報発信機１０２は、あらかじめ自己の発信機ＩＤを位置情報認証装置１０４の発信機ＤＢ１０７に登録しておく。本ステップは、自動的に実施してもよいし、登録者１０９（例えばシステム管理者）の指示にしたがって設定端末１０３を介して位置情報発信機１０２を操作することにより実施してもよい。
【００２３】
（図２：ステップＳ２０１）
登録者１０９は、位置情報発信機１０２の設置場所を計測し、計測された位置情報と位置情報発信機１０２の固有ＩＤを、位置情報認証装置１０４の設置場所ＤＢ１０６に登録する。併せて、位置情報発信機１０２の固有ＩＤと、ステップＳ２００において発信機ＤＢ１０７に登録された発信機ＩＤとを関連付け、発信機ＤＢ１０７にその関連付けを登録する。
【００２４】
（図２：ステップＳ２０２〜Ｓ２０４）
設定者１０８は、設定端末１０３を介して、位置情報発信機１０２に対して位置情報を設定する（Ｓ２０２）。設定端末１０３は、設定者１０８が入力した位置情報を、位置情報発信機１０２に送信する（Ｓ２０３）。位置情報発信機１０２は、受信した位置情報に基づいて自己の位置情報を設定し、自己の発信機ＩＤを設定端末１０３に送信する（Ｓ２０４）。
【００２５】
（図２：ステップＳ２０５）
設定者１０８は、設定端末１０３を介して、位置情報発信機１０２を有効化するよう要求する指示を入力する。本ステップは、ステップＳ２０４に続いて位置情報発信機１０２が自動的に以後のステップを開始する場合は、省略することもできる。
【００２６】
（図２：ステップＳ２０６）
設定端末１０３は、位置情報発信機１０２を有効化するよう要求するリクエストを、位置情報認証装置１０４に対して送信する。このとき、ステップＳ２０４で受信した発信機ＩＤと、ステップＳ２０３で位置情報発信機１０２に設定した位置情報とを併せて送信する。具体的には、例えば発信機ＩＤと位置情報を所定のハッシュ関数などによってエンコードした情報（コード化位置情報）を送信する。
【００２７】
（図２：ステップＳ２０７）
位置情報認証装置１０４の位置記録管理部１０５は、設定端末１０３が送信した有効化要求を受信すると、設置場所ＤＢ１０６を参照して有効化要求が適正か否かを判定する。具体的には、設定端末１０３がステップＳ２０６において使用したものと同じハッシュ関数を用いて位置情報と発信機ＩＤを取り出し、これを設置場所ＤＢ１０６および発信機ＤＢ１０７が格納している情報と照合することにより、発信機ＩＤと位置情報の対応関係があらかじめ格納しておいた情報と一致するか否かを判定する。設定端末１０３から受信した情報が正しい場合は位置情報発信機１０２を有効化することを許可する旨を応答し、正しくない場合は有効化を許可しない旨を応答する。ここでは有効化を許可するものとして以下のステップを説明する。
【００２８】
（図２：ステップＳ２０７：補足）
位置記録管理部１０５は、位置情報発信機１０２を有効化する旨の応答と併せて、ステップＳ２０６で設定端末１０３から受け取ったコード化位置情報を秘密鍵によって暗号化した情報（暗号化位置情報）を応答する。
【００２９】
（図２：ステップＳ２０８：ステップ１）
設定端末１０３は、位置情報認証装置１０４より位置情報発信機１０２を有効化すべき旨の応答を受け取ると、その旨を示す有効化情報を位置情報発信機１０２へ送信する。このとき、位置情報認証装置１０４が送信した暗号化位置情報を併せて送信する。
【００３０】
（図２：ステップＳ２０８：ステップ２）
位置情報発信機１０２は、設定端末１０３から受け取った暗号化位置情報を、位置情報認証装置１０４との間で共有している暗号鍵によって復号し、復号によって得た位置情報が自己の位置情報と一致するか否かをチェックする。一致する場合は位置情報発信機１０２は自己を有効化し、一致しない場合は無効化する。
【００３１】
（図２：ステップＳ２０９）
設定者１０８は、設定端末１０３を介して、位置情報を発信開始するよう要求する指示を入力する。本ステップは、ステップＳ２０８に続いて位置情報発信機１０２が自動的に以後のステップを開始する場合は、省略することもできる。
【００３２】
（図２：ステップＳ２１０）
位置情報発信機１０２は、有効化された状態において、設定端末１０３から位置情報を送信開始するよう要求するリクエストを受信すると、位置情報の送信を開始する。
【００３３】
＜本発明のまとめ＞
以上のように、本発明に係る位置情報システム１００において、位置情報認証装置１０４は、あらかじめ保持している位置情報発信機１０２の位置情報と、設定端末１０３から受け取った位置情報発信機１０２の位置情報とが一致する場合に限り、位置情報発信機１０２を有効化することを許可する旨の応答を返信する。これにより、位置情報発信機１０２が保持する位置情報が正確である場合に限り、位置情報を発信させるように制御することができる。
【００３４】
また、本発明に係る位置情報システム１００において、位置情報発信機１０２と位置情報認証装置１０４は、あらかじめ共有している鍵ペアを用いて、位置情報を互いに送受信する。これにより、不正な位置情報認証装置１０４が介入することを防止できる。
【００３５】
また、本発明に係る位置情報システム１００において、鍵ペアによる認証は実質的に位置情報発信機１０２と位置情報認証装置１０４の間のみで実施され、設定端末１０３は情報を中継するのみである。そのため、設定端末１０３に特別な機能を実装する必要はないとともに、不正な設定端末１０３が介入する余地を排除することができる。
【符号の説明】
【００３６】
１００：位置情報設定システム、１０１：移動体端末、１０２：位置情報発信機、１０３：設定端末、１０４：位置情報認証装置。
【図１】
2014107744.tif 000003
【図２】
2014107744.tif 000004